(57)【要約】【課題】より安定した動作の照明システムを提供する。【解決手段】光源を点灯させる点灯装置と、前記点灯装置による前記光源の点灯を制御する制御ユニットと、を備え、前記制御ユニットは、外部機器と通信を行い、前記外部機器から入力される外部信号を前記点灯装置に対応した制御信号に変換し、変換後の前記制御信号を前記点灯装置に送信するとともに、定期的に通信信号を前記点灯装置に送信し、前記点灯装置は、前記制御ユニットから受信した前記制御信号に基づいて前記光源の点灯状態を制御するとともに、前記通信信号に基づいて前記制御ユニットの異常を判定する照明システムが提供される。【選択図】図１
2020167055.tif 000002
【特許請求の範囲】
【請求項１】
光源を点灯させる点灯装置と、
前記点灯装置による前記光源の点灯を制御する制御ユニットと、
を備え、
前記制御ユニットは、外部機器と通信を行い、前記外部機器から入力される外部信号を前記点灯装置に対応した制御信号に変換し、変換後の前記制御信号を前記点灯装置に送信するとともに、定期的に通信信号を前記点灯装置に送信し、
前記点灯装置は、前記制御ユニットから受信した前記制御信号に基づいて前記光源の点灯状態を制御するとともに、前記通信信号に基づいて前記制御ユニットの異常を判定する照明システム。
【請求項２】
前記点灯装置は、前記制御ユニットから前記通信信号が送信されない状態が一定期間継続された際に、前記制御ユニットを異常と判定する請求項１記載の照明システム。
【請求項３】
前記点灯装置は、前記制御ユニットから前記通信信号が所定回数送信されなかった際に、前記制御ユニットを異常と判定する請求項１記載の照明システム。
【請求項４】
前記点灯装置は、前記制御ユニットの異常の判定に応じてリセット信号を前記制御ユニットに送信し、
前記制御ユニットは、前記リセット信号の受信に応じてリセット動作を実行する請求項１〜３のいずれか１つに記載の照明システム。
【請求項５】
前記制御ユニット及び前記点灯装置の少なくとも一方は、前記制御ユニットの前記リセット動作の回数を記憶する請求項４記載の照明システム。
【請求項６】
前記制御ユニット及び前記点灯装置の前記少なくとも一方は、前記リセット動作の前記回数が規定回数に達した際に、報知を行う請求項５記載の照明システム。
【請求項７】
前記報知は、前記光源の点滅又は減光である請求項６記載の照明システム。
【請求項８】
前記報知は、通知信号の送信である請求項６記載の照明システム。
【請求項９】
前記制御ユニット及び前記点灯装置は、それぞれ独立して起動し、
前記点灯装置は、起動した後、動作開始信号を前記制御ユニットに送信し、
前記制御ユニットは、起動した後、前記動作開始信号を受信するまで前記制御信号の送信を待機する請求項１〜８のいずれか１つに記載の照明システム。
【請求項１０】
前記制御ユニット及び前記点灯装置は、それぞれ独立して起動し、
前記点灯装置は、前記制御信号に基づいて前記光源の明るさを制御するとともに、起動した後、前記制御ユニットとの通信が確立するまでの間は、前記光源の明るさを所定の明るさ以下にする請求項１〜８のいずれか１つに記載の照明システム。
【発明の詳細な説明】
【技術分野】
【０００１】
本発明の実施形態は、照明システムに関する。
【背景技術】
【０００２】
光源を点灯させる点灯装置と、点灯装置による光源の点灯を制御する制御ユニットと、を備えた照明システムが知られている。制御ユニットは、タブレット端末などの外部機器と通信を行い、外部機器から入力される外部信号を点灯装置に対応した制御信号に変換し、その制御信号を点灯装置に送信する。点灯装置は、制御ユニットから受信した制御信号に基づいて光源の点灯状態を制御する。制御ユニット及び点灯装置は、例えば、制御信号を基に、光源の点灯・消灯の切り替え、光源の明るさを変化させる調光、あるいは光源から照射される光の色を変化させる調色などの光源の点灯状態を制御する。
【０００３】
このように、照明システムでは、外部機器から入力される外部信号に応じて、光源の点灯・消灯、明るさ、光の色などの点灯状態を制御できるようにする。これにより、使用者の好みなどに応じて点灯状態を変化させることができ、快適性や演出性などを向上させることができる。
【０００４】
こうした照明システムでは、点灯装置や制御ユニットの動作が不安定になってしまうことがある。例えば、外部信号を処理する制御ユニットでは、通信信号の異常や、信号処理を行うＭＣＵ（Micro Control Unit）の異常などにより、動作が停止してしまう可能性がある。
【０００５】
また、点灯装置と制御ユニットは、それぞれ電源の供給に応じて単独で動作を開始する。このため、制御ユニットが先に動作を開始した場合に、点灯装置側で起動直後の制御信号を適切に受信できず、点灯状態が不定になってしまう恐れがある。例えば、同一エリア内に複数の点灯装置が設置されている場合に、各点灯装置の起動直後の点灯状態がばらばらになり、見栄えが悪くなってしまう可能性がある。また、照度を落とした状態で点灯させたい場合に、照度の高い状態で起動してしまい、使用者に眩しさを感じさせてしまうことなども懸念される。
【０００６】
このため、点灯装置と制御ユニットとを備えた照明システムでは、より安定した動作を実現できるようにすることが望まれる。
【先行技術文献】
【特許文献】
【０００７】
【特許文献１】特許第６２５２９３７号公報
【発明の概要】
【発明が解決しようとする課題】
【０００８】
より安定した動作の照明システムを提供することを目的とする。
【課題を解決するための手段】
【０００９】
本発明の実施形態によれば、光源を点灯させる点灯装置と、前記点灯装置による前記光源の点灯を制御する制御ユニットと、を備え、前記制御ユニットは、外部機器と通信を行い、前記外部機器から入力される外部信号を前記点灯装置に対応した制御信号に変換し、変換後の前記制御信号を前記点灯装置に送信するとともに、定期的に通信信号を前記点灯装置に送信し、前記点灯装置は、前記制御ユニットから受信した前記制御信号に基づいて前記光源の点灯状態を制御するとともに、前記通信信号に基づいて前記制御ユニットの異常を判定する照明システムが提供される。
【発明の効果】
【００１０】
本発明の実施形態によれば、より安定した動作の照明システムを提供することができる。
【図面の簡単な説明】
【００１１】
【図１】実施形態に係る照明システムを模式的に表すブロック図である。
【図２】実施形態に係る照明システムの動作の一例を模式的に表すフローチャートである。
【図３】実施形態に係る照明システムの動作の一例を模式的に表すフローチャートである。
【図４】実施形態に係る照明システムの動作の変形例を模式的に表すフローチャートである。
【図５】実施形態に係る照明システムの動作の変形例を模式的に表すフローチャートである。
【発明を実施するための形態】
【００１２】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１３】
図１は、実施形態に係る照明システムを模式的に表すブロック図である。  
図１に表したように、照明システム１０は、点灯装置２０と、制御ユニット３０と、を備える。
【００１４】
点灯装置２０は、光源４０を点灯させる。点灯装置２０は、光源４０と接続され、光源４０に電力を供給することにより、光源４０を点灯させる。光源４０は、例えば、発光ダイオードである。但し、光源４０は、発光ダイオードに限ることなく、例えば、有機ＥＬ（Electro-Luminescence）素子などの他の発光素子でもよいし、電球や放電管などでもよい。なお、光源４０は、点灯装置２０に対して外部接続される構成に限ることなく、点灯装置２０内に組み込む構成としてもよい。
【００１５】
制御ユニット３０は、外部機器２と通信を行い、外部機器２から入力される外部信号を点灯装置２０に対応した制御信号に変換し、変換後の制御信号を点灯装置２０に送信する。
【００１６】
点灯装置２０は、制御ユニット３０から受信した制御信号に基づいて光源４０の点灯状態を制御する。点灯装置２０は、例えば、制御信号を基に、光源４０の点灯・消灯の切り替え、光源４０の明るさを変化させる調光、あるいは光源４０から照射される光の色を変化させる調色などを行う。但し、光源４０の点灯状態は、これらに限ることなく、光源４０の点灯に関連する任意の状態でよい。
【００１７】
これにより、照明システム１０では、外部機器２を操作し、外部機器２から制御ユニット３０に制御信号を送信することで、光源４０の点灯状態を制御することができる。照明システム１０では、使用者の好みなどに応じて光源４０の点灯状態を変化させることができ、快適性や演出性などを向上させることができる。
【００１８】
外部機器２は、例えば、スマートフォンやタブレット端末などの携帯端末である。外部機器２は、例えば、屋内の壁面などに設けた制御機器や専用のリモートコントローラなどでもよい。制御ユニット３０と外部機器２との間の通信は、有線でもよいし、無線でもよい。
【００１９】
点灯装置２０は、例えば、制御部２１と、点灯回路２２と、電源回路２３と、を有する。電源回路２３は、外部電源４と接続されている。電源回路２３は、外部電源４から供給された電力を制御部２１及び点灯回路２２に対応する所定の電力に変換し、変換後の電力を制御部２１及び点灯回路２２に供給する。
【００２０】
外部電源４は、例えば、交流の商用電源である。電源回路２３は、例えば、外部電源４から供給された交流電力を制御部２１及び点灯回路２２に対応する直流電力に変換し、変換後の直流電力を制御部２１及び点灯回路２２に供給する。電源回路２３は、例えば、ＡＣ−ＤＣコンバータである。
【００２１】
なお、電源回路２３から点灯回路２２に供給する電力は、電源回路２３から制御部２１に供給する電力と同じでもよいし、異なってもよい。すなわち、電源回路２３は、制御部２１及び点灯回路２２のそれぞれに対応させて電圧値などを変化させてもよい。
【００２２】
制御部２１は、電源回路２３からの電力の供給に応じて起動する。制御部２１は、制御ユニット３０と通信を行い、制御ユニット３０から制御信号を受信する。そして、制御部２１は、受信した制御信号に基づいて、点灯回路２２の動作を制御する。
【００２３】
点灯回路２２は、制御部２１による制御に基づいて、電源回路２３から供給された電力を制御信号に対応した所定の電力に変換し、変換後の電力を光源４０に供給する。これにより、点灯・消灯、光の明るさ、又は光の色などの光源４０の点灯状態を、制御信号に基づいて制御することができる。点灯回路２２は、例えば、ＤＣ−ＤＣコンバータである。
【００２４】
制御ユニット３０は、配線５１〜５５を介して点灯装置２０と接続されている。配線５１〜５５は、例えば、点灯装置２０及び制御ユニット３０のそれぞれに対して着脱可能に接続される。換言すれば、制御ユニット３０は、配線５１〜５５を介して点灯装置２０と着脱可能に接続される。
【００２５】
配線５１、５２は、点灯装置２０の電源回路２３と接続されている。これにより、制御ユニット３０には、点灯装置２０の電源回路２３から電力が供給される。配線５１、５２は、換言すれば、一対の電源線である。
【００２６】
配線５３〜５５は、点灯装置２０の制御部２１と接続されている。制御ユニット３０は、配線５３〜５５を介して点灯装置２０の制御部２１と接続され、点灯装置２０の制御部２１と有線で通信する。
【００２７】
制御ユニット３０は、例えば、制御部３１と、通信部３２と、を有する。制御部３１及び通信部３２は、配線５１、５２を介して点灯装置２０の電源回路２３と接続され、電源回路２３からの電力に供給によって動作する。
【００２８】
制御部３１は、点灯装置２０の電源回路２３からの電力の供給に応じて起動する。点灯装置２０の制御部２１及び制御ユニット３０の制御部３１は、電源回路２３からの電力の供給に応じて、それぞれ独立して起動する。
【００２９】
通信部３２は、外部機器２との通信を行う。通信部３２は、外部機器２から外部信号を受信し、受信した外部信号を制御部３１に入力する。なお、通信部３２と外部機器２との間の通信は、前述のように、有線でもよいし、無線でもよい。通信部３２は、外部機器２との通信規格に準拠した任意の通信インタフェースでよい。
【００３０】
制御部３１は、通信部３２から入力された外部信号を点灯装置２０に対応した制御信号に変換し、変換後の制御信号を点灯装置２０に送信する。これにより、外部信号の入力に基づいて、点灯装置２０に制御信号を送信し、光源４０の点灯状態を制御することができる。
【００３１】
制御部３１は、配線５３〜５５を介して点灯装置２０の制御部２１と接続されている。配線５３は、例えば、制御ユニット３０の制御部３１から点灯装置２０の制御部２１に信号を送信するための通信線である。制御ユニット３０の制御部３１は、例えば、配線５３を介して制御信号を点灯装置２０の制御部２１に送信する。配線５４は、例えば、点灯装置２０の制御部２１から制御ユニット３０の制御部３１に信号を送信するための通信線である。
【００３２】
配線５５は、例えば、点灯装置２０の制御部２１から制御ユニット３０の制御部３１にリセット信号を送信するためのリセット線である。配線５５は、例えば、制御部３１のマイクロコンピュータのリセット端子と電気的に接続されている。これにより、点灯装置２０の制御部２１からのリセット信号の入力により、制御ユニット３０の制御部３１にリセット動作を実行させることができる。ここで、リセット動作とは、より具体的には、制御ユニット３０の制御部３１の動作を初期状態に戻す動作である。
【００３３】
この例では、点灯装置２０と制御ユニット３０とを有線で接続し、点灯装置２０から制御ユニット３０に電力を供給している。例えば、制御ユニット３０にも電源回路を設け、点灯装置２０と制御ユニット３０とを、それぞれ個別に外部電源４に接続してもよい。この場合、電源線である配線５１、５２を省略することができる。また、点灯装置２０と制御ユニット３０とを個別に外部電源４に接続する場合などには、配線５３〜５５を省略し、点灯装置２０の制御部２１と制御ユニット３０の制御部３１との間の通信を無線で行ってもよい。
【００３４】
図２は、実施形態に係る照明システムの動作の一例を模式的に表すフローチャートである。  
図２は、照明システム１０の起動後の定常状態におけるの動作の一例を模式的に表す。  図２に表したように、制御ユニット３０の制御部３１は、点灯装置２０の制御部２１に通信信号を送信する（図２のステップＳ１０１）。通信信号は、例えば、点灯装置２０の制御部２１と動作状態の確認を行うための信号である。
【００３５】
制御ユニット３０の制御部３１は、通信信号を送信した後、通信信号の送信から一定期間が経過したか否かを判定する（図２のステップＳ１０２）。制御ユニット３０の制御部３１は、一定期間が経過したと判定すると、再び通信信号の送信を行う。このように、制御ユニット３０の制御部３１は、制御信号を点灯装置２０の制御部２１に送信するとともに、定期的に通信信号を点灯装置２０の制御部２１に送信する。
【００３６】
点灯装置２０の制御部２１は、通信信号を受信したか否かを判定する（図２のステップＳ２０１）。点灯装置２０の制御部２１は、通信信号を受信したと判定すると、応答信号を制御ユニット３０の制御部３１に送信する（図２のステップＳ２０２）。なお、点灯装置２０は、電源投入後に所定の起動シーケンスを行う場合がある。この起動シーケンス時には、通信信号を受信したか否かの判定を行わなくてもよい。換言すれば、点灯装置２０は、起動シーケンス時には通信信号を受け付けず、安定状態になってから通信信号を受け付けるようにしてもよい。
【００３７】
制御ユニット３０の制御部３１は、応答信号を受信したか否かを判定する（図２のステップＳ１０３）。制御ユニット３０の制御部３１は、応答信号を受信した場合、点灯装置２０が定常に動作している判断し、定期的に通信信号を点灯装置２０の制御部２１に送信する処理を繰り返す。
【００３８】
このように、照明システム１０では、制御ユニット３０の制御部３１が、定期的に通信信号を点灯装置２０の制御部２１に送信し、点灯装置２０の制御部２１が、通信信号を受信に応答して応答信号を制御ユニット３０の制御部３１に送信する。
【００３９】
これにより、照明システム１０では、点灯装置２０の制御部２１が、通信信号に基づいて制御ユニット３０の異常を判定することができる。すなわち、点灯装置２０の制御部２１では、通信信号の送信が一定期間以上ない場合に、制御ユニット３０を異常と判定することができる。そして、制御ユニット３０の制御部３１では、通信信号を送信したにも関わらず、応答信号の送信がない場合に、点灯装置２０を異常と判定することができる。
【００４０】
このように、照明システム１０では、点灯装置２０と制御ユニット３０とが、互いに相手方の異常を判定することができる。これにより、照明システム１０では、より安定した動作を実現することができる。
【００４１】
点灯装置２０の制御部２１は、通信信号を受信していないと判定した場合、通信信号が送信されない状態が一定期間継続されたか否かを判定する（図２のステップＳ２０３）。そして、点灯装置２０の制御部２１は、制御ユニット３０から通信信号が送信されない状態が一定期間継続された際に、制御ユニット３０を異常と判定する。
【００４２】
点灯装置２０の制御部２１は、制御ユニット３０の異常の判定に応じてリセット信号を制御ユニット３０の制御部３１に送信する（図２のステップＳ２０４）。
【００４３】
制御ユニット３０の制御部３１は、リセット信号の受信に応じてリセット動作を実行する（図２のステップＳ１０４、Ｓ１０５）。これにより、制御ユニット３０を異常状態から復帰させることができる。従って、照明システム１０において、制御ユニット３０の異常状態が継続されてしまうことを回避することができ、照明システム１０の動作をより安定させることができる。
【００４４】
点灯装置２０の制御部２１は、制御ユニット３０のリセット動作の回数を記憶する。換言すれば、点灯装置２０の制御部２１は、リセット信号の送信回数を記憶する。点灯装置２０の制御部２１は、リセット信号を送信した後、制御ユニット３０のリセット動作の回数を１回加算し、リセット動作の回数が規定回数に達したか否かを判定する（図２のステップＳ２０５）。
【００４５】
点灯装置２０の制御部２１は、規定回数に達していないと判定した場合、通信信号を受信する処理に戻る。一方、点灯装置２０の制御部２１は、規定回数に達したと判定した場合、点灯回路２２の動作を制御し、光源４０を点滅又は減光させることにより、使用者などに制御ユニット３０の異常を報知する（図２のステップＳ２０６）。
【００４６】
このように、点灯装置２０の制御部２１は、リセット動作の回数が規定回数に達した際に、報知を行う。これにより、制御ユニット３０が繰り返し異常になっていることを、使用者などに知らせることができる。例えば、制御ユニット３０の点検、修理、交換などを使用者などに促すことができる。従って、照明システム１０の利便性を向上させることができるとともに、制御ユニット３０の交換などを行わせ、制御ユニット３０が繰り返し異常となることを抑制することで、照明システム１０の動作をより安定させることができる。
【００４７】
図３は、実施形態に係る照明システムの動作の一例を模式的に表すフローチャートである。  
図３は、照明システム１０の電源投入直後の起動時の動作の一例を模式的に表す。  
図３に表したように、点灯装置２０の制御部２１は、電源回路２３からの電力の供給に応じて起動した後、動作開始信号を制御ユニット３０の制御部３１に送信する（図３のステップＳ２１１）。
【００４８】
また、点灯装置２０の制御部２１は、起動直後においては、光源４０の明るさを所定の明るさ以下にする（図３のステップＳ２１２）。ここで、所定の明るさ以下とは、例えば、調光度１０％以下の範囲であり、より好ましくは、調光下限である。光源４０の明るさを所定の明るさ以下にする状態は、例えば、光源４０を点灯させていない状態（調光度０％の状態）でもよい。
【００４９】
制御ユニット３０の制御部３１は、点灯装置２０の電源回路２３からの電力の供給に応じて起動した後、動作開始信号を受信したか否かを判定する（図３のステップＳ１１１）。
【００５０】
制御ユニット３０の制御部３１は、動作開始信号を受信したと判定すると、光源４０の点灯状態を制御するための制御信号を点灯装置２０の制御部２１に送信する（図３のステップＳ１１２）。
【００５１】
このように、制御ユニット３０の制御部３１は、起動した後、動作開始信号を受信するまで制御信号の送信を待機する。なお、起動時に送信する制御信号は、外部機器２から入力された外部信号に基づく制御信号でもよいし、起動時用に予め決められた制御信号などでもよい。
【００５２】
制御ユニット３０の制御部３１は、制御信号の送信を行った後、図１に関して説明した定常状態の動作に移行し、外部機器２からの外部信号の入力に応じて制御信号を点灯装置２０の制御部２１に送信するとともに、通信信号を定期的に点灯装置２０の制御部２１に送信する。
【００５３】
点灯装置２０の制御部２１は、動作開始信号を送信し、光源４０の明るさを所定の明るさ以下とした後、制御ユニット３０の制御部３１から制御信号を受信したか否かを判定する（図３のステップＳ２１３）。
【００５４】
点灯装置２０の制御部２１は、制御信号を受信したと判定すると、受信した制御信号に基づいて光源４０の点灯状態を制御する（図３のステップＳ２１４）。これにより、所定の明るさ以下とした状態から、制御信号に応じた明るさで、光源４０を点灯させることができる。
【００５５】
例えば、制御ユニット３０が点灯装置２０よりも先に動作を開始した場合に、点灯装置２０の起動を待たずに制御信号を送信してしまうと、点灯装置２０側で起動直後の制御信号を適切に受信できず、点灯状態が不定になってしまう恐れがある。例えば、同一エリア内に複数の点灯装置２０が設置されている場合に、各点灯装置２０の起動直後の点灯状態がばらばらになり、見栄えが悪くなってしまう可能性がある。また、照度を落とした状態で点灯させたい場合に、照度の高い状態で起動してしまい、使用者に眩しさを感じさせてしまうことなども懸念される。
【００５６】
これに対し、本実施形態に係る照明システム１０では、制御ユニット３０の制御部３１が、起動した後、動作開始信号を受信するまで制御信号の送信を待機する。これにより、点灯装置２０の制御部２１及び制御ユニット３０の制御部３１が、それぞれ独立して起動する場合にも、点灯装置２０の制御部２１が、起動直後の制御信号を適切に受信することができる。従って、起動直後の点灯装置２０の点灯状態が不定になってしまうことを抑制し、照明システム１０の動作をより安定させることができる。
【００５７】
また、点灯装置２０の制御部２１は、動作開始信号を送信した後、制御ユニット３０の制御部３１から制御信号を受信していないと判定した場合には、定期的に動作開始信号の送信を繰り返す。これにより、制御ユニット３０の制御部３１が起動する前に、点灯装置２０の制御部２１が動作開始信号を送信してしまい、制御ユニット３０の制御部３１が適切に動作開始信号を受信できなくなってしまうことを抑制することができる。
【００５８】
また、本実施形態に係る照明システム１０では、制御ユニット３０との通信が確立するまでの間は、光源４０の明るさを所定の明るさ以下にしている。これにより、点灯装置２０の起動直後の点灯状態がばらついたり、照度の高い状態で起動してしまい、使用者に眩しさを感じさせてしまうことなどを、より適切に抑制することができる。
【００５９】
なお、この例では、点灯装置２０から制御ユニット３０に動作開始信号を送信し、制御ユニット３０から点灯装置２０に制御信号を送信することにより、制御ユニット３０との通信が確立したと点灯装置２０の制御部２１に判断させている。制御ユニット３０との通信の確立の判定方法は、上記に限ることなく、制御ユニット３０との通信が確立したと判定可能な任意の方法でよい。例えば、上記とは反対に、制御ユニット３０から点灯装置２０に何らかの信号を送信し、その信号に応答する信号を点灯装置２０から制御ユニット３０に送信することによって、通信が確立したと判定してもよい。
【００６０】
図４は、実施形態に係る照明システムの動作の変形例を模式的に表すフローチャートである。  
図４は、照明システム１０の起動後の定常状態におけるの動作の変形例を模式的に表す。なお、図２に関して既に説明した動作と実質的に同じ動作については、説明を省略する。
【００６１】
この例では、制御ユニット３０の制御部３１が、リセット動作の回数を記憶する。図４に表したように、制御ユニット３０の制御部３１は、リセット動作を実行した後、リセット動作の回数を１回加算し、リセット動作の回数が規定回数に達したか否かを判定する（図４のステップＳ１２６）。
【００６２】
制御ユニット３０の制御部３１は、規定回数に達していないと判定した場合、通信信号を送信する処理に戻る。
【００６３】
一方、制御ユニット３０の制御部３１は、規定回数に達したと判定した場合、外部機器２に通知信号を送信することにより、制御ユニット３０が繰り返し異常になっていることを外部機器２に報知する（図４のステップＳ１２７）。
【００６４】
このように、リセット動作の回数は、制御ユニット３０の制御部３１で記憶してもよい。リセット動作の回数の記憶は、点灯装置２０及び制御ユニット３０の少なくとも一方でよい。なお、リセット動作の回数は、制御部２１、３１の内部メモリなどに記憶してもよいし、制御部２１、３１に接続された外部メモリなどに記憶してもよい。
【００６５】
また、リセット動作の回数が規定回数に達したことの報知は、光源４０の点滅又は減光に限ることなく、通知信号の送信でもよい。なお、通知信号の送信先は、外部機器２に限ることなく、他の上位の制御コントローラなどでもよい。リセット動作の回数が規定回数に達したことの報知の態様は、上記に限ることなく、使用者や制御コントローラなどに報知が可能な任意の態様でよい。
【００６６】
図５は、実施形態に係る照明システムの動作の変形例を模式的に表すフローチャートである。  
図５は、照明システム１０の起動後の定常状態におけるの動作の変形例を模式的に表す。なお、図２に関して既に説明した動作と実質的に同じ動作については、説明を省略する。
【００６７】
図５に表したように、この例では、点灯装置２０の制御部２１が、通信信号を受信していないと判定した場合に、制御ユニット３０から通信信号が所定回数送信されなかったか否かを判定する（図２のステップＳ２３３）。通信信号が送信されない状態が一定期間継続されたか否かを判定する（図２のステップＳ２０３）。そして、点灯装置２０の制御部２１は、制御ユニット３０から通信信号が所定回数連続して送信されなかった際に、制御ユニット３０を異常と判定する。なお、通信信号が送信されなかった回数とは、より具体的には、正常であれば通信信号が送信されるタイミングにおいて、通信信号が受信されなかった回数である。
【００６８】
このように、通信信号に基づく制御ユニット３０の異常の判定は、通信信号が送信されない期間で判定してもよいし、通信信号が送信されない回数で判定してもよい。
【００６９】
本発明のいくつかの実施形態および実施例を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【００７０】
２…外部機器、  ４…外部電源、  １０…照明システム、  ２０…点灯装置、  ２１…制御部、  ２２…点灯回路、  ２３…電源回路、  ３０…制御ユニット、  ３１…制御部、  ３２…通信部、  ４０…光源、  ５１〜５５…配線
【図１】
2020167055.tif 000003
【図２】
2020167055.tif 000004
【図３】
2020167055.tif 000005
【図４】
2020167055.tif 000006
【図５】
2020167055.tif 000007